(57)【要約】【課題】  畳面上に配置して座ることが出来る椅子であって、脚足によって畳面が損傷することのない和室用の椅子の提供。【解決手段】  概略Ｌ型にパイプを曲げ成形したフレーム４には座部１と背もたれ部２を設け、又パイプを概略コ型に曲げ成形をしたフレーム７に補強部８を設けた両脚５ａ，５ｂを連結部６にて繋いで脚部３を構成すると共に該脚部上には座部１を取着している。そして上記脚５ａ，５ｂの前後脚足下端に跨って延びる足部９，９を設け、後方の脚足１０ｂは該足部９に対して傾斜し、両脚５ａ，５ｂの下端部を外方向へ湾曲又は屈曲させている。【選択図】    図２
0003103036.tif 000002
【実用新案登録請求の範囲】
【請求項１】
和室の畳面上に配置して座ることが出来る椅子において、概略Ｌ型にパイプを曲げ成形したフレームには座部と背もたれ部を設け、又パイプを概略コ型に曲げ成形をしたフレームに補強部を設けた両脚を連結部にて繋いで脚部を構成すると共に該脚部上には座部を取着し、そして上記脚の前後脚足下端に跨って延びる足部を設け、後方の脚足は該足部に対して傾斜し、両脚の下端部を外方向へ湾曲又は屈曲させたことを特徴とする和室用の椅子。
【請求項２】
和室の畳面上に配置して座ることが出来る椅子において、概略Ｌ型にパイプを曲げ成形したフレームには座部と背もたれ部を設け、又パイプを概略コ型に曲げ成形をしたフレームに補強部を設けた両脚を連結部にて繋いで脚部を構成すると共に該脚部上には座部を取着し、そして上記脚の前後脚足下端に跨って延びる足部を設け、後方の脚足は該足部に対して傾斜し、両脚の下端を外方向へ傾斜して広げたことを特徴とする和室用の椅子。
【請求項３】
上記足部を前後脚足より前方及び後方へ延ばした請求項１、又は請求項２記載の和室用の椅子。
【考案の詳細な説明】
【技術分野】
【０００１】
本考案は、畳を敷いたお寺の和室において念仏する場合や講和を聴講する場合などに使用することが出来る座高の低い椅子に関するものである。
【背景技術】
【０００２】
今昔を問わず寺院へ出かけてお参りする人は多く、長時間にわたって念仏を唱え、又長時間にわたって講和を聴講する。これが１０分〜２０分程度であるならばそれ程苦痛ではないが、1時間又はそれ以上にわたって座り続けることは足がシビレ、足腰が痛くなる。特に、年老いた老人ともなれば、膝関節が悪くて座ることが出来ない人が多く、寺院へお参りすることすら出来ないことになる。
【０００３】
勿論、老人だけでなく、比較的若い人にとっても長時間にわたって座り続けることは苦痛である。特に正座した状態で座り続けることは容易でない。そこで、椅子を用いることで長時間にわたる念仏及び講和に対応することが出来るが、一般的な事務用の椅子では座高が高くて念仏用としては適さない。又、４本の脚を備えている為に、和室の畳面に椅子を置いて座るならば、脚が畳に食い込んで表面が損傷してしまう。
【０００４】
図４は従来から念仏用の座椅子として使用されているものであり、(ａ)は単独の座椅子を表わし、(ｂ)は該座椅子を積み重ねた場合を示している。上記座椅子はパイプを曲げ成形して対を成す2本の脚(イ)、(イ)を有している。両脚(イ)、(イ)は下端部が広がった形状と成っていることで安定し、該脚(イ)、(イ)の上端部には横桟(ロ)、(ロ)が水平に取着され、この横桟(ロ)、(ロ)に座板(ハ)が水平に載置されている。
【０００５】
そこで、参拝者は座椅子の座板(ハ)に座ることが出来、長時間にわたって着座しても足がシビレルことはないが、背もたれが無い為に楽ではない。ただし、収納する場合には、両脚(イ)、(イ)が下方に広がった形状と成っている為に、(ｂ)に示しているように積み重ねる事が出来る利点はある。
【０００６】
ところで、参拝者は座椅子の座板(ハ)に腰掛けることが出来るが、正座した状態で座ることもあり、この場合には膝下の脚は座板(ハ)の下側に折り曲げられる。正座した状態で該座椅子に腰掛けるならば、脚(イ)の足部(ニ)が正座する脚に当たって邪魔になる。従って正座し難く、足部(ニ)に当たって痛みを感じ、長時間正座することは出来ない。
【考案の開示】
【考案が解決しようとする課題】
【０００７】
このように、従来の参拝などに使用する和室用の椅子には上記のごとき問題がある。本考案が解決しようとする課題はこの問題点であって、背もたれがあって座り易く、正座した状態で座ることが出来、しかも和室の畳面を損傷することのない和室用の椅子を提供する。
【課題を解決するための手段】
【０００８】
本考案に係る和室用の椅子は、座部と背もたれ部、それに脚部から構成している。椅子は金属製パイプでそのフレームが構成され、上記背もたれを備えた座部は脚部上に取着されている。ここで、脚部は左右に両脚を有し、連結部にて両脚は連結され、座部は連結部に載って支持されている。
【０００９】
そして、片方の脚は２本の脚足を有し、脚足の下端には足部を有していて、両脚足間に跨って延びている。従って、和室の畳面には足部が全面にて接し、局部的な高い面圧をもたらすことはなく、畳が損傷することはない。又、脚は両側に設けられている為に間は空間となっていて、正座して腰掛ける場合には、膝下の脚を両脚間に入れることが出来る。
【考案の効果】
【００１０】
本考案に係る和室用の椅子は、脚の下端に水平に延びる足部が設けられているために、畳面に配置して使用することが出来る。すなわち、足部下面は畳面に当って、椅子に作用する荷重を支えることが出来、大きな接触面積と成る為に畳面がキズ付くことはない。そして、脚は脚部両側に設けられて間は大きな空間と成っているために、正座して腰掛ける場合に障害物はない。又、座板の後方には背もたれが設けられていることで、該背もたれにもたれ掛かることが出来、疲れることなく長時間の念仏や講和を受けることが出来る。
【実施例】
【００１１】
図１、図２は本考案に係る和室用の椅子を示す実施例であって、同図の１は座部、２は背もたれ部、３は脚部を夫々表している。上記座部１及び背もたれ部２は１本のパイプを概略Ｌ型に曲げ成形したフレーム４に取着され、該座部１は脚部３の上に取付けられている。
【００１２】
ここで、該座部１及び背もたれ部２の材質や形態は限定しないが、同図に示すように多少のクッション性を備えて、座っていても痛みを感じることなく、長時間座っていることが出来る構造と成っている。一方、座部１を支える脚部３は図１に示すように門型形状を成し、両側に脚５ａ，５ｂを有している。脚５ａ，５ｂの高さは限定しないが、正座した状態で座ることが出来る椅子であれば、該脚５ａ，５ｂの高さはより低くなる。
【００１３】
両脚５ａ，５ｂはその上端にて前後２本の連結部６，６によって連結され、座部１はこの連結部６，６に載って取着される。そして、脚５ａ，５ｂは図２に示す側面図から明らかなように、パイプが概略コ型に曲げられたフレーム７を有し、途中には補強部８が水平に掛架して設けられ、又下端には足部９が備わっている。
【００１４】
脚５は概略コ型を成した２本の脚足１０ａ，１０ｂを有し、上記補強部８は両脚足１０ａ，１０ｂの中間部位を連結し、足部９は両脚足１０ａ，１０ｂの下端を連結している。そして、足部９は前後脚足１０ａ，１０ｂから前方及び後方へ延びている。脚５は概略コ型形状と成っているが、前方の脚足１０ａは足部９に対して垂直に立ち上がり，後方の脚足１０ｂは足部９に対して傾斜して立ち上がっている。すなわち、椅子に腰掛けると共に背もたれ部２にもたれ掛かった際に、後方へ転倒しないように後方の脚足１０ａは傾斜して安定性を図っている。
【００１５】
又、図１の正面図から明らかなように、両脚５ａ，５ｂの脚足１０ａ，１０ｂ・・はその下端部にて外方向へ湾曲して両脚５ａ，５ｂ間の間隔を大きくして椅子の安定性を図った形状と成っている。ところで、該椅子は畳の上に配置して座ることが出来る訳であり、脚足１０ａ，１０ｂの下端に跨って取着されている足部９は畳面と全面接触し、該畳面に大きな局部的な負荷を作用することはない。同図に示す実施例では、足部９もパイプで構成しているが、平坦な底面を有す棒材を用いることも出来る。
【００１６】
図３(ａ)、(ｂ)は複数の椅子が積み重ねられた場合を示している。概略コ型をした脚５ａ，５ｂの脚足１０ｂは下側が広がり、しかも脚５ａ，５ｂの下端部は外方向へ湾曲しているために、同図のように脚部３，３・・は互いに嵌合して積み重ねることが出来る。すなわち、下側に位置する椅子の脚部３の上には上側の椅子の脚部３が嵌合状態となって積み重ねられる。
【図面の簡単な説明】
【００１７】
【図１】本考案に係る椅子の正面図。
【図２】本考案に係る椅子の側面図。
【図３】本考案に係る椅子を積み重ねた場合であり、(ａ)は正面図、(ｂ)は側面図。
【図４】(ａ)は従来の座椅子を、(ｂ)は該座椅子が積み重ねられた場合。
【符号の説明】
【００１８】
１  座部
２  背もたれ部
３  脚部
４  フレーム
５  脚
６  連結部
７  フレーム
８  補強部
９  足部
10  脚足
【図１】
0003103036.tif 000003
【図２】
0003103036.tif 000004
【図３】
0003103036.tif 000005
【図４】
0003103036.tif 000006